(57)【要約】      （修正有）【課題】屋外でも、魚や肉類、その他を囲炉裏焼のような仕上がりを可能にし、満足感が得られる焼串保持具を提供する。【解決手段】遠火近火や反転可能な焼串保持具本体に本体装着のための溝を設け、焼串を保持する部分に少なくとも２個以上の穴をあけ、通す穴の選択により串の角度が容易に選択できる。また、グリル、焚火台等の付属品の外周部、立ち上がり部に串を通すための穴をあけることにより、同様の効果をもたらすことができ、囲炉裏で焼くような食物の焼き具合、仕上がりを簡便に楽しむことが出来る。【選択図】図６
0003156915.tif 000002
【実用新案登録請求の範囲】
【請求項１】
遠火近火や反転可能な焼串保持具本体をバーベキューグリル又は焚火台、及び付属品等の側縁部に容易に装着することのできる機能を設け、本保持具に焼串を通すための穴を本体上面及び正面に設け、串を好みの角度に調節、反転を容易にすることが出来る。
【請求項２】
既存バーベキューグリル本体および焚火台等の付属品の側縁部に［請求項１］の機能の一部である遠火近火や反転可能な焼串を通すための穴を新たに設けたバーベキューグリル、焚火台、及び付属品。
【請求項３】
本発明保持具を既存バーベキューグリル、焚火台、及び付属品の側縁部に引掛ける部分は折り曲げ可能な金属板で構成されており、装着部分の巾に応じて折り曲げて使用することができる。その結果、装着部分の巾に関わらず、サイズの合致した状態で使用できる。
【考案の詳細な説明】
【技術分野】
【０００１】  本考案はバーベキュー等で串焼をする場合の焼串保持具に関するものである。
【背景技術】
【０００２】バーベキュー等でバーベキューグリル、焚火台等で魚、肉など食品を焼く場合、焼網で焼くか、グリル専用の焼串で焼いていた。焼串で焼く場合は構造上、使い勝手が悪かった。焼串を用いて焼く場合、焼串を保持することに苦労した。
【先行技術文献】
【特許文献】
【０００３】
【特許文献１】串焼き装置  特許公開２００２−２８０８２  広報
【考案の概要】
【考案が解決しようとする課題】
【０００４】キャンプ等屋外においてバーベキューグリル等で魚、肉等の食品を焼く場合、焼串の保持、傾斜具合や反転に不便を感じていた。本考案はそれを解決しようとするものである。
【課題を解決するための手段】
【０００５】本考案はバーベキューグリル、焚火台等で串焼料理をする際、市販の焼串を利用して魚、肉等を焼く場合、既製のバーベキューグリル本体や、焚火台等の付属品の側縁部に簡便に取り付けられる焼串保持具である。その保持具には焼串の下部が容易に通るように数個の穴があいていて、その穴の選択により焼串の傾斜角度が調節可能である。それにより遠火、近火、反転等の調節も容易である。
本保持具には既製のグリル、焚火台等にも合致するような溝を有し、この溝でスライドすることにより、熱源から離す事もできる。
また、予め既存のバーベキューグリル本体、焚火台本体及び付属品等の側縁部に、焼串を立てる為の穴を施しておくことにより本保持具の機能をもたせることも可能である。
その結果、串焼料理が容易になり、問題点を解決できる。
【考案の効果】
【０００６】上記の様に、本考案の遠火近火や反転可能な焼串保持具は、屋外でも、魚や肉類、その他を囲炉裏焼のような仕上がりを可能にし、満足感が得られる。
【図面の簡単な説明】
【０００７】
【図１】本体上面図。
【図２】本体正面図
【図３】本体側面図
【図４】引掛け溝折り曲げ説明図
【図５】本発明装着状態の説明図
【図６】同使用状態の説明図
【図７】実施例
【考案を実施するための形態】
【０００８】本保持具本体はバーベキューグリル本体及び焚火台等付属品の周囲の立ち上がり側縁部に引掛けるための溝を有し、本体上部と正面部に少なくとも２個以上の焼串を通すための穴を有している。
串に焼くための食品を刺し、焼串の下部を本保持具上部の穴に差込み、串が好みの角度になるよう、正面の穴のいずれかの穴を選択して差し込む。
または、現在販売されているのバーベキューグリル等の本体及び付属品の外周、または、側縁部に同様の遠火近火や反転調節可能な穴を予め製造段階で設けておくこともできる。
【実施例】
【０００９】以下、添付図面に従って実施例を説明する。本体１は金属、又は耐熱プラスチック製である。射出成型、プレス、鋳造等で成型される。
図３に示すように溝２を図５に示すようにバーベキューグリル及び焚火台等付属品の外周立ち上がり部、又は側縁部３に差し込む。本考案の準備は以上である。
図５に示すように本体上部、正面に少なくとも２箇所以上の穴があいている。穴４，５，６，７は串が回らないように角型の穴である。本体上面穴４から焼串を通し正面穴５に挿入することにより図６で示すように串は熱源に最も近づく。同様に本体上面穴４から焼串を正面穴７に通した場合、串は最も熱源から離れる。さらに、図５に示すように側縁部３の上を本保持具をスライドさせることができ、焼串を横方向へも移動できる。焼串は斜め下方向に穴から抜けているため、焼串の上下動も容易である。
焼串は、下端部が熱源から離れているため熱伝導も少なく反転や角度調節が容易である。【００１０】図４は本保持具の側面図である。図示のようにＡは本保持具を既製のバーベキューグリル、焚火台、及びそれらの側縁部に引掛けるための本件重要部分である。現在多種多様に出回っているバーベキューグリル等は側縁部の巾も多様である。本考案ではａの部分を装着部分の巾に適宜合わせてＡ′の状態に折り曲げて使用することにより多様性に対応することができる。【００１１】図７に示すように現在販売されているバーベキューグリルや焚火台、及びそれらの付属品の外周、側縁部に製造段階で本保持具同様の穴を設けることが構造上可能である。
側縁部の一部を利用して穴の加工を施しておくことにより、後から本考案保持具を用いなくとも同じ効果を得ることができる。
【符号の説明】
【００１２】  １  本保持具本体
２  溝部
３  側縁部
４  本体上面穴
５  本体正面穴１
６  本体正面穴２
７  本体正面穴３
８  既存のグリル、焚火台、等付属品の側縁部
９  串体
１０  バーベキューグリル断面
１１  熱源
【図１】
0003156915.tif 000003
【図２】
0003156915.tif 000004
【図３】
0003156915.tif 000005
【図４】
0003156915.tif 000006
【図５】
0003156915.tif 000007
【図６】
0003156915.tif 000008
【図７】
0003156915.tif 000009
【手続補正書】
【提出日】平成21年10月2日(2009.10.2)
【手続補正１】
【補正対象書類名】実用新案登録請求の範囲
【補正対象項目名】全文
【補正方法】変更
【補正の内容】
【実用新案登録請求の範囲】
【請求項１】
焼串を差し込むための穴を開けるのに必要且つ充分な強度を有する巾で、側面から見た形状がコの字型の部材本体部の上面部に少なくとも１個、正面部に数個の焼串を差し込むための穴を有し、正面反対側にはバーベキューグリルや焼き網をのせるための枠状のフレームの側縁部に係止するための溝を有していることを特徴とする遠火近火や反転可能な焼串保持具。
【請求項２】
バーベキューグリル側縁部の上面部に少なくとも１個、外側側面部に数個の焼串を差し込むための穴を製造段階において穴あけ加工を施した、遠火近火や反転可能な焼串を差し込むための穴を有したことを特徴とするバーベキューグリル。
【請求項３】
焼き網をのせる為の枠状のフレームの部材側縁部の上面部に少なくとも１個、外側側面部に数個の焼串を差し込むための穴を製造段階において穴あけ加工を施した、遠火近火や反転可能な焼串を差し込むための穴を有したことを特徴とする焼き網をのせるための枠状のフレーム。
【請求項４】
前記溝は折り曲げ可能な金属板で構成され、係止部分の巾に応じて使用することができる請求項１に記載の遠火近火や反転可能な焼串保持具。